(57)【要約】【課題】植付作業機の前方に圃場を整地する整地装置を備えた乗用型田植機等の移植機において、前記植付作業機と整地装置への動力取出しを一本化して簡潔に構成すると共にコストの低減を図る。【解決手段】走行機体４から伝達される動力を左右方向に分岐する分岐伝動ケース３４を整地装置２７の左右方向略中央に設け、この分岐伝動ケース３４を介して、苗載台１８の横送り変速機構４３を内装した植付動力入力ケース３８と、整地装置２７に動力を分配するように構成した。【選択図】図２
2010035493.tif 000002
【特許請求の範囲】
【請求項１】
左右に往復動する苗載台（１８）と、該苗載台（１８）上に載置した苗を掻取って圃場に移植する植付装置（２１）とを備えた植付作業機（１７）を、走行機体（４）の後方に昇降自在に連結すると共に、該走行機体（４）と植付作業機（１７）との間に整地装置（２７）を配設してなる移植機において、前記走行機体（４）から伝達される動力を左右方向に分岐する分岐伝動ケース（３４）を設け、この分岐伝動ケース（３４）を介して、前苗載台（１８）の横送り変速機構（４３）を内装した植付動力入力ケース（３８）と、前記整地装置（２７）に動力を分配するように構成したことを特徴とする移植機。
【請求項２】
前記分岐伝動ケース（３４）を整地装置（２７）の左右方向略中央に配設すると共に、当該分岐伝動ケース（３４）から直接的に整地装置（２７）に動力を伝達するように構成した請求項１に記載の移植機。
【請求項３】
前記分岐伝動ケース（３４）を整地装置（２７）の左右方向略中央に配設すると共に、当該分岐伝動ケース（３４）から植付作業機（１７）の一端側まで延長した動力分配軸（３５Ｌ）を介して整地装置（２７）に動力を伝達するように構成した請求項１に記載の移植機。
【請求項４】
前記植付動力入力ケース（３８）に植付装置（２１）の動作速度を変速する株間変速機構（４１）を内装すると共に、当該植付動力入力ケース（３８）を植付作業機（１７）の一側端部に設け、この植付動力入力ケース（３８）から植付動力分配軸（４８）を介して出力した動力を植付装置（２１）へ伝達するように構成した請求項１から請求項３に記載の移植機。
【発明の詳細な説明】
【技術分野】
【０００１】
本発明は、乗用型田植機等の移植機に関し、特に植付作業機の前方に圃場を整地する整地ロータ等の整地装置を備えた移植機に関する。
【背景技術】
【０００２】
従来、走行機体の後部に備える昇降リンク機構を介して植付作業機を昇降自在に連結すると共に、この植付作業機の前方に整地ロータ（整地装置）を設け、該整地ロータを圃場面に接地する作用位置で走行機体の進行方向に回転駆動させることによって、苗植え付け位置前方の荒れた圃場面を整地する整地作業と植付作業とを同時に行うことができるようにした乗用型田植機が知られている（例えば、特許文献１参照）。
【０００３】
また、乗用型田植機は、エンジンから苗載台上に載置した苗を掻取って圃場に移植する植付装置への動力伝達経路中において、例えばトランスミッションケース内に、車速に対する植付装置の相対的な動作速度を複数段に変速する株間変速機構と、植付装置を等速または不等速回転させる回転変速機構を設けたものが知られている（例えば、特許文献２参照）。
【特許文献１】特開２００７−１５９４１８号公報（第３−４頁、図２−図４）
【特許文献２】特開２００４−３１３０３９号公報（第３−６頁、図４−図７）
【発明の開示】
【発明が解決しようとする課題】
【０００４】
しかし、上述した特許文献１のものでは、植付作業機には、トランスミッションケース内の変速機構によって変速された動力が植付ＰＴＯ軸を介して伝達される一方、整地ロータには、リヤアクスルケースに付設した動力取出ケース内で後輪動力伝達経路から分岐させた動力が伝達されるようになっており、前記植付作業機と整地ロータへの動力取出しを一本化して簡潔に構成すると共に、コストの低減を図ることを期待されていた。
【０００５】
また、特許文献２のものでは、車速に対する植付装置の相対的な動作速度を複数段に変速する株間変速機構と、植付装置を等速または不等速回転させる回転変速機構をトランスミッションケース内に設けているので、必然的にトランスミッションケースが大型化すると共に、作業性とは無関係に株間変速レバーの設置場所が限定されるといった欠点を有していた。
【課題を解決するための手段】
【０００６】
本発明は、上記課題を解決することを目的としたものであって、左右に往復動する苗載台と、該苗載台上に載置した苗を掻取って圃場に移植する植付装置とを備えた植付作業機を、走行機体の後方に昇降自在に連結すると共に、該走行機体と植付作業機との間に整地装置を配設してなる移植機において、前記走行機体から伝達される動力を左右方向に分岐する分岐伝動ケースを設け、この分岐伝動ケースを介して、前記苗載台の横送り変速機構を内装した植付動力入力ケースと、前記整地装置に動力を分配するように構成したことを第１の特徴としている。
そして、前記分岐伝動ケースを整地装置の左右方向略中央に配設すると共に、当該分岐伝動ケースから直接的に整地装置に動力を伝達するように構成したことを第２の特徴としている。
また、前記分岐伝動ケースを整地装置の左右方向略中央に配設すると共に、当該分岐伝動ケースから植付作業機の一端側まで延長した動力分配軸を介して整地装置に動力を伝達するように構成したことを第３の特徴としている。
更に、前記植付動力入力ケースに植付装置の動作速度を変速する株間変速機構を内装すると共に、当該植付動力入力ケースを植付作業機の一側端部に設け、この植付動力入力ケースから植付動力分配軸を介して出力した動力を植付装置へ伝達するように構成したことを第４の特徴としている。
【発明の効果】
【０００７】
請求項１の発明によれば、走行機体から伝達される動力を左右方向に分岐する分岐伝動ケースを設け、この分岐伝動ケースを介して、苗載台の横送り変速機構を内装した植付動力入力ケースと、走行機体と植付作業機との間に設けた整地装置に動力を分配するように構成したことによって、前記走行機体からの植付作業機と整地装置への動力取出しを一本化して簡潔に構成することができるのでコストの低減が図れる。
そして、請求項２の発明によれば、前記分岐伝動ケースを整地装置の左右方向略中央に配設すると共に、当該分岐伝動ケースから直接的に整地装置に動力を伝達するように構成したことによって、植付作業機及び整地装置の左右バランスを損なうことなく整地装置への左右均等な動力伝達が可能になる。
また、請求項３の発明によれば、前記分岐伝動ケースを整地装置の左右方向略中央に配設すると共に、当該分岐伝動ケースから植付作業機の一端側まで延長した動力分配軸を介して整地装置に動力を伝達するように構成したことによって、前記植付作業機に支持した整地装置の左右バランスが安定する。
更に、請求項４の発明によれば、前記植付動力入力ケースに植付装置の動作速度を変速する株間変速機構を内装すると共に、当該植付動力入力ケースを植付作業機の一側端部に設け、この植付動力入力ケースから植付動力分配軸を介して出力した動力を植付装置へ伝達するように構成したことによって、走行機体と植付作業機との間に設けられる整地装置と植付作業機との空間を確保することができるので、当該空間、即ち苗載台の裏面側における設計の自由度が向上する。
【発明を実施するための最良の形態】
【０００８】
次に、本発明の実施形態を図面に基づいて説明する。図１は、移植機の一例である乗用型田植機１の側面図、また図２は、乗用型田植機１の伝動図であって、乗用型田植機１は、左右一対の前輪２及び後輪３に支持された走行機体４を有し、その左右一側には、走行機体４の前方から後部に亘って延設される折畳み式の予備苗載台５を配設している。
【０００９】
そして、走行機体４の前側には、ボンネット６で覆われた図示しないエンジン７を搭載すると共に、ボンネット６の後方には、ステアリングホイール８、運転操作パネル９及び主変速レバー１１等を備えた操縦部１２と、この操縦部１２の床面を形成するステップ１３、座席１４を支持する機体カバー１５を設けている。
【００１０】
また、走行機体４の後方には、昇降リンク機構１６を介して植付作業機１７を昇降自在に連結している。植付作業機１７は、前高後低状に傾斜する樹脂製の苗載台１８と、該苗載台１８上に載置したマット苗Ｎを掻取って植え付ける複数の植付爪１９を備えた植付装置２１と、この植付装置２１の下方には、圃場面（植付け田面）を整地する整地フロート２２等を設けているが、これらの基本的な構成は何れも従来通りであり詳細な説明を省略する。
【００１１】
そして、後輪３と整地フロート２２との空間Ｓ、即ち植付作業機１７の前方には、複数の整地ロータ２５を植付作業機１７の略全幅に亘ってロータ軸２６に支持した整地装置２７を配設してあり、当該整地ロータ２５を圃場面に設置させた状態で回転駆動させることによって、植付爪１９によるマット苗Ｎの植付位置前方の荒れた圃場面を整地できるように構成している。
【００１２】
また、図２に示すように、上述したエンジン７から出力される動力は、静油圧式無段変速装置（ＨＳＴ）２８を介してトランスミッションケース２９内に入力され、このトランスミッションケース２９内に備える主クラッチ機構３１の下流において走行動力と植付動力とに分岐すると共に、分岐した植付動力を植付動力変速機構３２を経由して植付ＰＴＯ軸３３に出力するように構成している。
【００１３】
そして、植付ＰＴＯ軸３３から出力される植付動力を、図２及び図３に示すように、分岐伝動ケース３４内に備えるベベルギヤ機構を介して左右方向に分岐し、図中左方向に分岐した動力を動力分配軸３５Ｌの軸端に設けたトルクリミッタ３６、及びクラッチ機構３７を介して直接的に整地装置２７に伝達する一方、図中右方向に分岐した動力は、動力分配軸３５Ｒを介して植付作業機１７の右側（一側）端部に設けた植付動力入力ケース３８に入力される。
【００１４】
更に詳しく説明すると、上述した動力分配軸３５Ｒの軸端には、トルクリミッタ３９を設けると共に、植付動力入力ケース３８には、植付装置２１の動作速度を複数段に変速する株間変速機構４１、植付装置２１の回転速度を等速回転から不等速回転、あるいは不等速回転から等速回転に切換える等速・不等速切換機構４２、苗載台１８の横送り変速機構４３、及びクラッチ機構４４等を内装している。
【００１５】
また、上述した昇降リンク機構１６の後端には、リンクホルダ４５を取付けると共に、このリンクホルダ４５の下部には、走行機体４の左右方向に向けて断面が方形の植付フレーム４６を延設している。そして、植付フレーム４６の後端には、植付装置２１を作動させるチェン伝動機構４７ａを内装した複数の植付伝動ケース４７を走行機体４の幅方向に所定の間隔で取付けている。
【００１６】
そして、植付動力入力ケース３８に備える等速・不等速切換機構４２の下流からは、植付フレーム４６の左右方向に沿う植付動力分配軸４８を延設している。この植付動力分配軸４８は、各植付伝動ケース４７を貫通すると共に、各植付伝動ケース４７に内装した条止めクラッチ機構４９及びチェン伝動機構４７ａを介して各植付装置２１に動力を伝達する。
【００１７】
また、植付動力分配軸４８の並列位置には、苗載台１８を横送り（左右に往復動）させる横送り軸５１を設けている。この横送り軸５１は、外周に螺旋溝を形成したスクリュー軸であって、その外周には、前記螺旋溝に噛み合って苗載台１８の背面に連結する図示しないスライドブロックを内嵌する外筒５２を設けてあり、横送り軸５１の回転に連動して左右方向に往復移動するスライドブロックを介して苗載台１８の横送りがなされる。
【００１８】
尚、横送り軸５１は、植付動力分配軸４８よりも軸長が短く、且つ植付動力分配軸４８の右端側に偏倚して配置してあり、植付動力入力ケース３８内の横送り変速機構４３を介して回転駆動される。即ち、植付動力入力ケース３８から側方に突出する横送り変速操作レバー５３による横送り変速機構４３の変速操作に応じて、苗載台１８の横送り速度が複数段に変更される。
【００１９】
以上説明した本発明の実施形態によれば、走行機体４から伝達される動力を左右方向に分岐する分岐伝動ケース３４を設け、この分岐伝動ケース３４を介して、苗載台の横送り変速機構４３を内装した植付動力入力ケース３８と、走行機体４と植付作業機１７との間に設けた整地装置２７に動力を分配するように構成したことによって、前記走行機体４からの植付作業機１７と整地装置２７への動力取出しを一本化して簡潔に構成することができるのでコストの低減が図れる。
【００２０】
この時、図３〜図５に示すように、分岐伝動ケース３４内に備えるベベルギヤ機構を介して左右方向に分岐された動力分配軸３５Ｌ，３５Ｒと、整地装置２７の昇降回動支点Ｐ
を側面視で略一致（同軸に構成）させることによって、前記動力分配軸３５Ｌ，３５Ｒを整地装置２７の昇降回動支点として兼用すると共に、図３に示すように、左方向に分岐させた動力を動力分配軸３５Ｌから整地装置２７に伝達するチェン伝動機構５５ａを内装した整地動力入力ケース５５を、当該整地装置２７を圃場面に接地する作業位置と圃場面から離間した格納位置に変更するための回動アームとして利用しており、専用の回動アームや動力伝達ジョイント等を不要にしてコストの低減を図っている。
【００２１】
更に詳しく整地装置２７の支持構造について説明する。植付フレーム４６に立設した左右一対の苗載台支持ステー５６の上部には、操作軸５７を回動可能に軸支するボス５８を固設してあり、このボス５７に軸支した操作軸５６の一側端部に外嵌させて位置決め固定したパイプ体５９に、側面視でコの字状の断面形状を有するブラケット６１を固設し、更にこのブラケット６１に、整地装置３１を圃場面に接地する作業位置と圃場面から離間した格納位置に変更することができる昇降操作レバー６２を取り付けている。
【００２２】
そして、操作軸５７の両端と中途部には、回動アーム６３が固設してあり、これら回動アーム６３の先端に吊アーム６４を垂下させて連結すると共に、該吊アーム６４の下端部を上述の昇降回動支点Ｐ周りに回動する整地装置２７の回動アーム６５の中途部、及び整地動力入力ケース５５の中途部に連結している。
【００２３】
更に、昇降操作レバー６２を配置した左右一側の苗載台支持ステー５６には、昇降操作レバー６２用の図示しない複数段の係止溝を備えるレバーガイド６６が設けてあり、昇降操作レバー６２に備える係止片６２ａを前記係止溝の所望の位置に係止することによって、整地装置２７が圃場面から離間する格納位置と、整地装置２７が圃場面に接地する作業位置に亘って多段階に調節することができるようになっている。尚、整地装置２７が圃場面に接地する作用位置においては、整地装置２７を構成する整地ロータ２５は、整地フロート２２の下面からの突出量が１０〜４０ｍｍの範囲で調節可能である。
【００２４】
ところで、走行機体４から伝達される動力を左右方向に分岐する分岐伝動ケース３４を、整地装置２７の左右方向略中央、即ち左右方向中央に位置する植付作業機１７の前方に配設すると共に、当該分岐伝動ケース３４から直接的に整地装置２７に動力を伝達するように構成してあり、それによって植付作業機１７及び整地装置２７の左右バランスを損なうことなく整地装置２７への左右均等な動力伝達が可能になり、整地装置２７を構成する整地ロータ２５の左右均等な均し性能と回転バランスを確保することができる。
【００２５】
また、各植付装置２１の動力断続クラッチとして、分岐伝動ケース３４の下流側における植付動力入力ケース３８内にクラッチ機構４４を設けると共に、同じく整地装置２７への動力断続クラッチとして、分岐伝動ケース３４の下流側にクラッチ機構３７が設けてあり、各植付装置２１と整地装置２７とをそれぞれ別々に駆動させることができる。即ち、各植付装置２１による植付作業と整地装置２７による整地作業を同時または単独で行うことができる。
【００２６】
そして、分岐伝動ケース３４を介して左側に分岐させた動力分配軸３５Ｌの軸端に整地装置２７に対応するトルクリミッタ３６設ける一方、右側に分岐させた動力分配軸３５Ｒの軸端に各植付装置２１に対応するトルクリミッタ３９を設けることによって、整地装置２７へ動力を分配した後に、前記トルクリミッタ３９による移植トルクを適切に設定することができるので、各植付装置２１を不要に強度アップさせなくて済むと共に、当該トルクリミッタ３９の下流側に、各植付装置２１の回転速度を等速回転から不等速回転、あるいは不等速回転から等速回転に切換える等速・不等速切換機構４２を設けることによって、前記整地装置２７を構成する整地ロータ２５に安定した等速回転を付与して良好な均し性能を得ることができる。
【００２７】
更に、植付動力入力ケース３８に植付装置２１の動作速度を変速する株間変速機構４１を内装すると共に、当該植付動力入力ケース３８を植付作業機１７の一側端部に設け、この植付動力入力ケース３８から植付動力分配軸４８を介して出力した動力を植付装置２１へ伝達するように構成したことによって、走行機体４と植付作業機１７との間に設けられる整地装置２７と植付作業機１７との空間を確保することができるので、当該空間、即ち苗載台１８の裏面側における設計の自由度が向上する。
【００２８】
また、図６に示すものは、植付ＰＴＯ軸３３から出力される植付動力を、分岐伝動ケース３４内に備えるベベルギヤ機構を介して左右方向に分岐した後、図中左方向の動力分配軸３５Ｌを植付作業機１７の左端側まで延長し、この延長した動力分配軸３５Ｌの軸端に設けたトルクリミッタ３６、及びクラッチ機構３７を介して、植付作業機１７の左端側からチェン伝動機構５５ａを内装した整地動力入力ケース５５によって整地装置２７に動力を伝達すると共に、図中右方向に分岐した動力を、動力分配軸３５Ｒを介して植付作業機１７の右側端部に設けた植付動力入力ケース３８に入力しており、このものでは、整地動力入力ケース５５と植付動力入力ケース３８を植付作業機１７の左右両端側に分けて配置しているので、植付作業機１７と該植付作業機１７に支持した整地装置２７の左右バランスが安定するといった利点がある。更に、前記整地動力入力ケース５５を、整地装置２７を圃場面に接地する作業位置と圃場面から離間した格納位置に変更するための左端側（外側）回動アームとして利用することができ、専用の回動アームを設けなくて済むのでコストの低減が図れる。
【００２９】
そして、図７に示すものは、植付ＰＴＯ軸３３から出力される植付動力を、分岐伝動ケース３４内に備えるベベルギヤ機構を介して右方向に分岐した後、動力分配軸３５を介して植付作業機１７の右側端部に設けた植付動力入力ケース３８に入力する途中において、動力分配軸３５にクラッチ機構３７を介装すると共に、チェン伝動機構５５ａを内装した整地動力入力ケース５５によって整地装置２７に動力を伝達する構成のものであり、このものでは、動力分配軸３５を短くして整地装置２７への動力伝達構造を簡潔に構成することができるのでコストの低減が図れる。
【図面の簡単な説明】
【００３０】
【図１】乗用型田植機の側面図。
【図２】乗用型田植機の伝動図。
【図３】植付作業機及び整地装置の伝動構造の要部を示す展開図。
【図４】整地装置の支持構造を示す右側面図。
【図５】整地装置の昇降操作機構を示す右側面図。
【図６】植付作業機及び整地装置の伝動構造（他例）の要部を示す展開図。
【図７】植付作業機及び整地装置の伝動構造（他例）の要部を示す展開図。
【符号の説明】
【００３１】
４      走行機体
１７    植付作業機
１８    苗載台
２１    植付装置
２７    整地装置
３４    分岐伝動ケース
３５Ｌ  動力分配軸
３８    植付動力入力ケース
４１    株間変速機構
４３    横送り変速機構
４８    植付動力分配軸
【図１】
2010035493.tif 000003
【図２】
2010035493.tif 000004
【図３】
2010035493.tif 000005
【図４】
2010035493.tif 000006
【図５】
2010035493.tif 000007
【図６】
2010035493.tif 000008
【図７】
2010035493.tif 000009